【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
流路内の空気を移動するように構成された空気移動要素と、
製品を受け入れるように構成された前記流路内のチャンバと、
前記第１の方向で前記流路内の空気を受け入れるための、選択された面積の入口、及び前記第１の方向とは異なる第２の方向で前記流路内の空気を排出するための、前記入口の前記面積よりも大きい選択された面積の出口を有する空気移送チャンバと、前記空気移送出口にわたって延在し、前記流路内の空気流を分割するように構成された空気流分割器と、
前記空気流分割器の下流且つ前記チャンバの上流で前記流路にわたって延在する空気流指向器とを備え、
前記空気流指向器は、上流入口面及び下流出口面を有し、前記入口面で空気流を受け取り、前記流路内部の複数の別個の副路内へ前記空気流を分離し、前記流路と実質的に平行で、静圧の実質的な低下なしに、前記下流出口面から前記空気流を排出するように構成される、空気流送出システム。
【請求項２】
前記空気移動要素は、エダクタ、送風機、又はファンを含む、請求項１に記載の空気流送出システム。
【請求項３】
前記チャンバは、加熱、冷却、養生、又は乾燥チャンバである、請求項１に記載の空気流送出システム。
【請求項４】
前記空気移送チャンバは、前記流路内に複数の案内羽根を備え、前記第２の流路方向は、前記第１の流路方向に対して直角である、請求項１に記載の空気流送出システム。
【請求項５】
前記空気流分割器は、有孔板、金網、又はワイヤスクリーンである、請求項１に記載の空気流送出システム。
【請求項６】
前記空気流指向器は、
上流入口面、下流出口面、及び前記入口面と前記出口面の間の前記流路内部の複数の別個の副路を有する第１の層であって、
前記入口面で空気流を受け取り、前記流路内部の前記複数の別個の副路内へ前記空気流を分離し、前記下流出口面から前記空気流を排出するように構成された第１の層と、
前記第１の層の下流にあり、上流入口面、下流出口面、及び前記入口面と前記出口面の間の前記流路内部の複数の別個の副路を有する第２の層であって、
前記第１の層の出口面から空気流を前記第２の層の前記入口面で受け取り、前記第２の層の前記下流出口面から前記空気流を排出するように構成された第２の層とを備える、請求項１に記載の空気流送出システム。
【請求項７】
前記第２の層の前記複数の別個の副路は、前記第１の層の前記複数の別個の副路に対して、前記第１の層の前記複数の別個の副路から排出された前記空気流を前記第２の層の前記複数の別個の副路内へ分離し、前記第２の層の前記下流出口面から前記空気流を排出するように構成される、請求項６に記載の空気流送出システム。
【請求項８】
前記第１の層の少なくとも２つの別個の副層から排出された前記空気流の少なくとも一部分が、前記第２の層の前記別個の副層のうちの少なくとも１つで一緒に混合される、請求項７に記載の空気流送出システム。
【請求項９】
前記空気流指向器の下流且つ前記チャンバの上流で前記流路にわたって延在し、前記流路内の空気流を分割するように構成された第２の空気流分割器をさらに備える、請求項１に記載の空気流送出システム。
【請求項１０】
前記第２の空気流分割器は、有孔板、金網、又はワイヤスクリーンである、請求項９に記載の空気流送出システム。
【請求項１１】
前記空気移送チャンバの前記出口の前記面積は、前記空気移送チャンバの前記入口の前記面積よりも少なくとも約４倍大きい、請求項１に記載の空気流送出システム。
【請求項１２】
前記空気流分割器は、前記空気移送チャンバの前記出口の前記面積の約５％と約３５％の間の合計面積を有する複数の空気流開口を備える、請求項１に記載の空気流送出システム。
【請求項１３】
前記空気流分割器は、約０．２５４ｃｍ（約０．１インチ）と約１．９０５ｃｍ（約０．７５インチ）の間の前記流路と直角の最長寸法をそれぞれが有する複数の空気流開口を備える、請求項１に記載の空気流送出システム。
【請求項１４】
前記副路は、平均奥行を有し、繰り返された空気流開口のパターンによって前記入口面において画定され、前記開口のそれぞれは、前記流路と直交する面積を有し、約０．３８１ｃｍ（約０．１５インチ）と約１．９０５ｃｍ（約０．７５インチ）の間の前記流路に対して直角の最長寸法を特徴として有する、請求項１に記載の空気流送出システム。
【請求項１５】
前記副路は、繰り返された空気流開口のパターンによって前記入口面において画定され、前記開口のそれぞれは、前記流路と直交する面積を有する、請求項１に記載の空気流送出システム。
【請求項１６】
繰り返された副路の前記パターンは、多角形のセル・パターンである、請求項１５に記載の空気流送出システム。
【請求項１７】
前記副路は、薄肉の六角形のハニカム層から形成される、請求項１に記載の空気流送出システム。
【請求項１８】
前記副路は、複数の薄肉の六角形のハニカム層から形成される、請求項１に記載の空気流送出システム。
【請求項１９】
前記副路は、複数のオフセットされた薄肉の六角形のハニカム層から形成される、請求項１に記載の空気流送出システム。
【請求項２０】
前記副路は、平均奥行を有することができ、繰り返された空気流開口のパターンによって前記入口面において画定され、前記開口のそれぞれは、前記流路と直交する面積を有し、前記副路は、約０．６３５ｃｍ（約０．２５インチ）と約７．６２ｃｍ（約３インチ）の間の平均奥行を有し、前記副路開口は、約０．３８７１ｃｍ２（約０．０６平方インチ）と約９．６７７４ｃｍ２（約１．５平方インチ）の間の面積を有する、請求項１に記載の空気流送出システム。
【請求項２１】
流路内の空気を移動するように構成された空気移動要素と、
製品を受け入れるように構成された前記流路内のチャンバと、
第１の方向で前記流路内の空気を受け入れるための、選択された面積の入口、及び前記第１の方向とは異なる第２の方向で前記流路内の空気を排出するための、前記入口の前記面積よりも大きい選択された面積の出口を有する空気移送チャンバと、
前記空気移送出口にわたって延在し、複数の空気流開口を有する空気流分割器であって、
前記空気流分割器の前記空気流開口は、平均奥行、及び前記流路と直交する合計面積を有する、空気流分割器と、
前記空気流分割器の下流且つ前記チャンバの上流で前記流路にわたって延在する空気流指向器とを備え
前記空気流指向器は、上流入口面、下流出口面、及び前記入口面と前記出口面の間の複数の異なる副路を有し、
前記副路は、平均奥行を有し、繰り返された空気流開口のパターンによって前記入口面において画定され、前記開口のそれぞれは、前記流路と直交する面積を有し、前記流路に対して直角の最長寸法を特徴として有し、
前記副路の平均奥行は、前記空気流分割器の前記開口の前記平均奥行よりも大きく、
前記空気流指向器の前記入口面の前記空気流開口の前記合計面積は、前記空気流分割器の前記空気流開口の前記合計面積よりも実質的に大きく、
前記副路の前記平均奥行は、前記副路の前記流路に対して直角の前記開口の前記最長寸法よりも大きい、空気流送出システム。
【請求項２２】
前記空気移動要素は、エダクタ、送風機、又はファンを含む、請求項２１に記載の空気流送出システム。
【請求項２３】
前記チャンバは、加熱、冷却、養生、又は乾燥チャンバである、請求項２１に記載の空気流送出システム。
【請求項２４】
前記空気移送チャンバは、前記流路内に複数の案内羽根を備え、前記第２の流路方向は、前記第１の流路方向に対して直角である、請求項２１に記載の空気流送出システム。
【請求項２５】
前記空気流分割器は、有孔板、金網、又はワイヤスクリーンである、請求項２１に記載の空気流送出システム。
【請求項２６】
前記空気流指向器は、
上流入口面、下流出口面、及び前記入口面と前記出口面の間の前記流路内部の複数の別個の副路を有する第１の層であって、
前記入口面で空気流を受け取り、前記流路内部の前記複数の別個の副路内へ前記空気流を分離し、前記下流出口面から前記空気流を排出するように構成された第１の層と、
前記第１の層の下流にあり、上流入口面、下流出口面、及び前記入口面と前記出口面の間の前記流路内部の複数の別個の副路を有する第２の層であって、
前記第１の層の前記出口面から空気流を前記第２の層の前記入口面で受け取り、前記第２の層の前記下流出口面から前記空気流を排出するように構成された第２の層とを備える、請求項２１に記載の空気流送出システム。
【請求項２７】
前記第２の層の前記複数の別個の副路は、前記第１の層の前記複数の別個の副路に対して、前記第１の層の前記複数の別個の副路から排出された前記空気流を前記第２の層の前記複数の別個の副路内へ分離し、前記第２の層の前記下流出口面から前記空気流を排出する、請求項２６に記載の空気流送出システム。
【請求項２８】
前記第１の層の少なくとも２つの別個の副層から排出された前記空気流の少なくとも一部分が、前記第２の層の前記別個の副層のうちの少なくとも１つで一緒に混合される、請求項２７に記載の空気流送出システム。
【請求項２９】
前記第１の層の前記副路は、平均奥行を有し、繰り返された空気流開口のパターンによって前記入口面において画定され、前記開口は、前記流路と直交する合計面積を有し、前記流路に対して直角の最長寸法を特徴として有し、
前記第１の層の前記副路の前記平均奥行は、前記空気流分割器の前記開口の前記平均奥行よりも大きく、
前記第１の層の前記入口面の前記空気流開口の前記合計面積は、前記空気流分割器の前記空気流開口の前記合計面積よりも実質的に大きく、
前記第１の層の前記副路の前記平均奥行は、前記副路の前記流路に対して直角の前記開口の前記最長寸法よりも大きい、請求項２６に記載の空気流送出システム。
【請求項３０】
前記第２の層の前記副路は、平均奥行を有することができ、繰り返された空気流開口のパターンによって前記入口面において画定され、前記開口は、前記流路と直交する合計面積を有し、前記流路に対して直角の最長寸法を特徴として有し、
前記第２の層の前記副路の前記平均奥行は、前記空気流分割器の前記開口の前記平均奥行よりも大きく、
前記第２の層の前記入口面の前記空気流開口の前記合計面積は、前記空気流分割器の前記空気流開口の前記合計面積よりも実質的に大きく、
前記第２の層の前記副路の前記平均奥行は、前記副路の前記流路に対して直角の前記開口の前記最長寸法よりも大きい、請求項２９に記載の空気流送出システム。
【請求項３１】
前記第１の層の前記副路の繰り返された空気流開口の前記パターンは、前記第２の層の前記副路の繰り返された空気流開口の前記パターンと実質的に異なる、請求項３０に記載の空気流送出システム。
【請求項３２】
前記第１の層の前記副路の前記平均奥行は、前記第２の層の前記副路の前記平均奥行と実質的に異なる、請求項３０に記載の空気流送出システム。
【請求項３３】
前記第１の層の前記入口面の前記空気流開口の前記合計面積は、前記第２の層の前記入口面の前記空気流開口の前記合計面積と実質的に異なる、請求項３０に記載の空気流送出システム。
【請求項３４】
前記第１の層の前記副路の前記開口の前記最長寸法は、前記第２の層の前記副路の前記開口の前記最長寸法と実質的に異なる、請求項３０に記載の空気流送出システム。
【請求項３５】
前記空気移送チャンバの前記出口の前記面積は、前記空気移送チャンバの前記入口の前記面積よりも少なくとも約４倍大きい、請求項２１に記載の空気流送出システム。
【請求項３６】
前記空気流分割器の前記空気流開口は、前記空気移送チャンバの前記出口の前記面積の約５％と約３５％の間の合計面積を有する、請求項２１に記載の空気流送出システム。
【請求項３７】
前記空気流分割器の前記空気流開口はそれぞれ、約０．２５４ｃｍ（約０．１インチ）と約１．９０５ｃｍ（約０．７５インチ）の間の直径を有する、請求項２１に記載の空気流送出システム。
【請求項３８】
前記副路のそれぞれの前記最長寸法は、約０．３８１ｃｍ（約０．１５インチ）と約１．９０５ｃｍ（約０．７５インチ）の間である、請求項２１に記載の空気流送出システム。
【請求項３９】
繰り返された副路の前記パターンは、六角形のセル・パターンである、請求項２１に記載の空気流送出システム。
【請求項４０】
繰り返された副路の前記パターンは、多角形のセル・パターンである、請求項２１に記載の空気流送出システム。
【請求項４１】
前記副路は、薄肉の六角形のハニカム層から形成される、請求項２１に記載の空気流送出システム。
【請求項４２】
前記副路は、複数の薄肉の六角形のハニカム層から形成される、請求項２１に記載の空気流送出システム。
【請求項４３】
前記副路は、複数のオフセットされた薄肉の六角形のハニカム層から形成される、請求項２１に記載の空気流送出システム。
【請求項４４】
前記副路は、約０．６３５ｃｍ（約０．２５インチ）と約７．６２ｃｍ（約３インチ）の間の平均奥行を有する、請求項２１に記載の空気流送出システム。
【請求項４５】
前記副路開口はそれぞれ、約０．３８７１ｃｍ２（約０．０６平方インチ）と約９．６７７４ｃｍ２（約１．５平方インチ）の間の面積を有し、前記空気移動チャンバの前記出口の前記面積の少なくとも約８０％の合計面積を有する、請求項２１に記載の空気流送出システム。
【請求項４６】
前記空気流分割器の前記開口の前記平均奥行は、約０．０７６２ｃｍ（約０．０３インチ）から約０．３０４８ｃｍ（約０．１２インチ）である、請求項２１に記載の空気流送出システム。
【請求項４７】
前記空気流指向器の下流且つ前記チャンバの上流で前記流路にわたって延在し、前記流路内の空気流を分割するように構成された第２の空気流分割器をさらに備える、請求項２１に記載の空気流送出システム。
【請求項４８】
前記空気流分割器は、有孔板、金網、又はワイヤスクリーンである、請求項４７に記載の空気流送出システム。
【請求項４９】
前記空気流分割器は長方形のチャンバである、請求項２１に記載の空気流送出システム。
【請求項５０】
流路内の空気を移動するように構成された空気移動要素と、
製品を受け入れるように構成された前記流路内のチャンバと、
前記流路内の空気を受け入れるための選択された面積の入口、及び前記流路内の空気を排出するための選択された面積の出口を有する空気移送チャンバと、
前記空気移送出口にわたって延在し、前記流路内の空気流を分割するように構成された空気流分割器と、
前記空気流分割器の下流且つ前記チャンバの上流で前記流路にわたって延在する空気流指向器とを備え、
前記空気流指向器は、上流入口面及び下流出口面を有し、前記入口面で入口速度で空気流を受け入れ、出口速度で前記下流出口面から前記空気流を排出するように構成され、
前記入口速度は前記出口速度以上であり、
前記出口速度は少なくとも４メートル毎秒である、空気流送出システム。
【請求項５１】
前記空気移送チャンバの前記出口の前記面積は、前記空気移送チャンバの前記入口の前記面積よりも大きく
前記空気移送チャンバの前記入口は、第１の方向で前記流路内の空気を受け入れ、前記空気移送チャンバの出前記口は、前記第１の方向とは異なる第２の方向で前記流路内の空気を排出し、
前記空気流指向器は、前記入口面で空気流を受け取り、前記流路内部の複数の別個の副路内へ前記空気流を分離し、前記流路と実質的に平行に、前記下流出口面から前記空気流を排出するように構成される、請求項１に記載の空気流送出システム。
【請求項５２】
前記空気移送チャンバは、前記流路内に複数の案内羽根を備え、前記第２の流路方向は、前記第１の流路方向に対して直角になる、請求項５１に記載の空気流送出システム。
【請求項５３】
前記空気流分割器は、有孔板、金網、又はワイヤスクリーンである、請求項５０に記載の空気流送出システム。
【請求項５４】
前記空気流指向器は、
上流入口面、下流出口面、及び前記入口面と前記出口面の間の前記流路内部の複数の別個の副路を有する第１の層であって、
前記入口面で空気流を受け取り、前記流路内部の前記複数の別個の副路内へ前記空気流を分離し、前記下流出口面から前記空気流を排出するように構成された第１の層と、
前記第１の層の下流にあり、上流入口面、下流出口面、及び前記入口面と前記出口面の間の前記流路内部の複数の別個の副路を有する第２の層であって、
前記第１の層の前記出口面から空気流を前記第２の層の前記入口面で受け取り、前記第２の層の前記下流出口面から前記空気流を排出するように構成された第２の層とを備える、請求項５０に記載の空気流送出システム。
【請求項５５】
前記第２の層の前記複数の別個の副路は、前記第１の層の前記複数の別個の副路に対して、前記第１の層の前記複数の別個の副路から排出された前記空気流を前記第２の層の前記複数の別個の副路内へ分離し、前記第２の層の前記下流出口面から前記空気流を排出するように構成される、請求項５４に記載の空気流送出システム。
【請求項５６】
前記第１の層の少なくとも２つの別個の副層から排出された前記空気流の少なくとも一部分が、前記第２の層の前記別個の副層のうちの少なくとも１つで一緒に混合される、請求項５５に記載の空気流送出システム。
【請求項５７】
前記空気流送出システムは、前記空気流指向器の下流且つ前記チャンバの上流で前記流路にわたって延在し、前記流路内の空気流を分割するように構成された第２の空気流分割器をさらに備える、請求項５０に記載の空気流送出システム。
【請求項５８】
前記空気移送チャンバの前記出口の前記面積は、前記空気移送チャンバの前記入口の前記面積よりも少なくとも約４倍大きい、請求項５１に記載の空気流送出システム。
【請求項５９】
前記副路は、繰り返された空気流開口のパターンによって前記入口面において画定され、前記開口のそれぞれは、前記流路と直交する面積を有する、請求項５１に記載の空気流送出システム。
【請求項６０】
繰り返された副路の前記パターンは、多角形のセル・パターンである、請求項５９に記載の空気流送出システム。
【請求項６１】
前記副路は、複数のオフセットされた薄肉の六角形のハニカム層から形成される、請求項５１に記載の空気流送出システム。
【手続補正２】
【補正対象書類名】明細書
【補正対象項目名】００２４
【補正方法】変更
【補正の内容】
【００２４】
【図１】製品に平行な空気流を供給するオーブン内に構成された本発明の実施例の部分斜視図である。
【図２】図１に示したノズルの分解図である。
【図３】図２に示した空気流指向器の１つの層の下流向きの図である。
【図４】図３の指示領域Ａ内を占める、図３に示した空気流指向器の拡大詳細図である。
【図５】図２に示した空気流指向器の下流向きの非分解斜視図である。
【図６】図５の指示領域Ｂ内を占める、図５に示した空気流指向器の拡大詳細図である。
【図７】比較例又は従来の設計についての測定された速度均一性データ及び対応する無次元パラメータのセットのグラフである。
【図８】本発明の実施例についての測定された速度均一性データ及び対応する無次元パラメータのセットのグラフである。
【図９】平行な有孔板の間に含まれるハニカムの数及び厚さに応じた速度均一性パラメータの変化のグラフである。
【図１０】厚さを固定した配置におけるハニカムのインターフェースの数に応じた速度均一性パラメータの変化のグラフである。
【図１１】比較例及び本発明の実施例についての測定された流れ直線度データのグラフである。
【図１２】平行な有孔板の間に含まれるハニカムの数及び厚さに応じた流れ直線度の変化のグラフである。
【手続補正３】
【補正対象書類名】明細書
【補正対象項目名】００３４
【補正方法】変更
【補正の内容】
【００３４】
さらに、第１の層２１は、上流入口面２８ａ、下流出口面２９ａ、及び入口面と出口面の間の流路内部の複数の別個の副路２７ａを有し、また、層２１は、入口面２８ａで空気流を受け取り、流路全体にわたる複数の別個の副路２７ａ内へ空気流を分離し、下流出口面２９ａから空気流を排出する。第１の層２１から下流の第２の層２２は、層２１からオフセット４０され、上流入口面２８ｂ、下流出口面２９ｂ、及び入口面２８ｂと出口面２９ｂの間の複数の別個の副路２７ｂを有するため、第２の層は、第１の層２１の出口面２９ｂから空気流を入口面２８ｂで受け取り、第１の層の複数の別個の副路２７ａから排出された空気流を第２の層２２の複数の別個の副路２７ｂ内に分離し、第２の層２２の下流出口面２９ｂから空気流を排出する。オフセット４０のため、第１の層２１の少なくとも２つの別個の副路２７ａから排出された空気流の少なくとも一部分が、第２の層２２の別個の副路２７ｂのうちの少なくとも１つで一緒に混合される。同様に、第１の層２１から下流の第３の層２３は、層２２からオフセット４１され、上流入口面２８ｃ、下流出口面２９ｃ、及び入口面２８ｃと出口面２９ｃの間の複数の別個の副路２７ｃを有するため、第３の層は、第２の層２２の出口面２９ｂから空気流を入口面２８ｃで受け取り、第２の層の複数の別個の副路２７ｂから排出された空気流を第３の層２３の複数の別個の副路２７ｃ内に分離し、第３の層２３の下流出口面２９ｃから空気流を排出する。オフセット４１のため、第２の層２２の少なくとも２つの別個の副路２７ｂから排出された空気流の少なくとも一部分が、第３の層２３の別個の副路２７ｃのうちの少なくとも１つで一緒に混合される。